(57)【要約】【課題】入力画像に含まれないパターンが視認される表示出力を抑制することができる表示装置を提供する。【解決手段】表示装置は、１つの画素がＸ方向に並ぶ２つの副画素を有し、１つの副画素には、３色のうちいずれか１色が割り当てられ、１つの画素が有する２つの副画素の色は異なり、Ｙ方向に並ぶ複数の画素がそれぞれ有する２つの副画素の色及び配置は同じであり、３色のうち１つの画素が有する２つの副画素に割り当てられていない１色は、当該１つの画素に対してＸ方向に隣接する画素が有する２つの副画素のいずれか一方に割り当てられており、同じ色が割り当てられた副画素同士の間に他の色が割り当てられた副画素を１つ間に挟んでＸ方向に並ぶ副画素の配置を含む。【選択図】図３
2018189777.tif 000002
【特許請求の範囲】
【請求項１】
行方向及び列方向に並ぶ複数の画素を有する表示装置であって、
１つの画素は、前記行方向又は前記列方向のうち一方向に並ぶ２つの副画素を有し、
１つの副画素には、３色のうちいずれか１色が割り当てられ、
１つの画素が有する２つの副画素の色は異なり、
前記行方向又は前記列方向のうち他方向に並ぶ複数の画素がそれぞれ有する２つの副画素の色及び配置は同じであり、
前記３色のうち１つの画素が有する２つの副画素に割り当てられていない１色は、当該１つの画素に対して前記一方向に隣接する画素が有する２つの副画素のいずれか一方に割り当てられており、
同じ色が割り当てられた副画素同士の間に他の色が割り当てられた副画素を１つ間に挟んで前記一方向に並ぶ副画素の配置を含む
表示装置。
【請求項２】
前記３色のうち２色のいずれかが割り当てられた副画素同士は、前記３色のうち残りの１色が割り当てられた副画素を１つ間に挟んで前記一方向に並ぶ
請求項１に記載の表示装置。
【請求項３】
前記２色は、赤色と青色であり、
前記残りの１色は、緑色である
請求項２に記載の表示装置。
【請求項４】
前記２色は、赤色と緑色であり、
前記残りの１色は、青色である
請求項２に記載の表示装置。
【請求項５】
前記３色のうち特定の１色が割り当てられた２つの副画素が前記一方向に隣接する
請求項１に記載の表示装置。
【請求項６】
前記特定の１色は、青色であり、
前記３色のうち前記特定の１色を除く２色は、赤色と緑色である
請求項５に記載の表示装置。
【請求項７】
前記特定の１色は、赤色であり、
前記３色のうち前記特定の１色を除く２色は、緑色と青色である
請求項５に記載の表示装置。
【請求項８】
１つの画素が有する２つの副画素に割り当てられていない１色の色成分の入力があった場合、当該１つの画素に隣接する画素が有する当該１色の副画素に割り当てられる
請求項１から７のいずれか一項に記載の表示装置。
【請求項９】
前記複数の画素の各々に対する入力信号に含まれる前記３色の階調値に基づいて前記副画素の各々の出力階調値を算出する信号処理部を備え、
前記信号処理部は、
隣接する２つの画素のうち一方の画素に対する入力信号に含まれる１色の階調値が他方の画素に対する入力信号に含まれる当該１色の階調値よりも大きい場合、式（１）に基づいて前記一方の画素が有する当該１色の副画素の出力階調値を算出し、
前記一方の画素に対する入力信号に含まれる１色の階調値が他方の画素に対する入力信号に含まれる当該１色の階調値よりも小さい場合、式（２）に基づいて前記一方の画素が有する当該１色の副画素の出力階調値を算出し、
式（１）及び式（２）に含まれるＯｕｔ（ｎ）、Ｉｎ（ｎ）、Ｉｎ（ｍ）はそれぞれ、前記一方の画素が有する当該１色の副画素の出力階調値、前記一方の画素に対する入力信号に含まれる１色の階調値、前記他方の画素に対する入力信号に含まれる当該１色の階調値であり、
式（１）に含まれるａと、式（２）に含まれるｂとは、ａ＜ｂを満たす
請求項８に記載の表示装置。
Ｏｕｔ（ｎ）＝Ｉｎ（ｎ）−（Ｉｎ（ｎ）−Ｉｎ（ｍ））×ａ…（１）
Ｏｕｔ（ｎ）＝Ｉｎ（ｎ）＋（Ｉｎ（ｍ）−Ｉｎ（ｎ））×ｂ…（２）
【発明の詳細な説明】
【技術分野】
【０００１】
本発明は、表示装置に関する。
【背景技術】
【０００２】
１つの画素が２つの副画素を有する表示装置が知られている（例えば特許文献１、特許文献２）。この表示装置では、入力画像に含まれる各画素の３色の階調値のうち、１つの画素が有する２つの副画素の色に対応しない色の階調値に応じた出力を他の画素に割り付ける割り付け処理が行われている。
【先行技術文献】
【特許文献】
【０００３】
【特許文献１】特許第４９１８０２８号公報
【特許文献２】特開２０１３−２４２３４７号公報
【発明の概要】
【発明が解決しようとする課題】
【０００４】
しかしながら、従来の副画素の配置及び割り付け処理では、入力画像に含まれないパターンが視認される表示出力を生じることがあった。
【０００５】
本発明は、上記の課題に鑑みてなされたもので、入力画像に含まれないパターンが視認される表示出力を抑制することができる表示装置を提供することを目的とする。
【課題を解決するための手段】
【０００６】
本発明の一態様による表示装置は、行方向及び列方向に並ぶ複数の画素を有する表示装置であって、１つの画素は、前記行方向又は前記列方向のうち一方向に並ぶ２つの副画素を有し、１つの副画素には、３色のうちいずれか１色が割り当てられ、１つの画素が有する２つの副画素の色は異なり、前記行方向又は前記列方向のうち他方向に並ぶ複数の画素がそれぞれ有する２つの副画素の色及び配置は同じであり、前記３色のうち１つの画素が有する２つの副画素に割り当てられていない１色は、当該１つの画素に対して前記一方向に隣接する画素が有する２つの副画素のいずれか一方に割り当てられており、同じ色が割り当てられた副画素同士の間に他の色が割り当てられた副画素を１つ間に挟んで前記一方向に並ぶ副画素の配置を含む。
【図面の簡単な説明】
【０００７】
【図１】図１は、実施形態１に係る表示装置の構成の一例を示すブロック図である。
【図２】図２は、実施形態１に係る画像表示パネルの概念図である。
【図３】図３は、実施形態１における複数の画素の配置及び各画素が有する副画素の配置の一例を示す図である。
【図４】図４は、第１比較例における画素及び副画素の配置例を示す図である。
【図５】図５は、Ｘ方向に沿って黒色の画素列と白色の画素列とが交互に並ぶ画像の模式例を示す図である。
【図６】図６は、図４に示す第１比較例に図５の画像が入力された場合の表示出力例を示す画像である。
【図７】図７は、図６の画像に含まれている階段状の模式図である。
【図８】図８は、Ｘ方向に沿って黒色の画素列と白色の画素列とが千鳥状に並ぶ市松模様の画像の模式例を示す図である。
【図９】図９は、図４に示す第１比較例に図８の画像が入力された場合の表示出力例を示す画像である。
【図１０】図１０は、図９の画像に含まれているジグザグの模式図である。
【図１１】図１１は、実施形態１の表示装置に図５の画像が入力された場合の表示出力例を示す模式図である。
【図１２】図１２は、実施形態１の表示装置に図８の画像が入力された場合の表示出力例を示す模式図である。
【図１３】図１３は、第１画素と、第１画素に隣接する画素との関係を示す模式図である。
【図１４】図１４は、第２画素と、第２画素に隣接する画素との関係を示す模式図である。
【図１５】図１５は、第３画素と、第３画素に隣接する画素との関係を示す模式図である。
【図１６】図１６は、中間階調を含むストライプ状のグレースケール画像の模式例を示す図である。
【図１７】図１７は、Ｘ方向の一端側から他端側に向かって、第１副画素、第２副画素、第３副画素の並びを繰り返すように副画素が配置されている表示装置に図１６の画像が入力された場合の表示出力例を示す画像である。
【図１８】図１８は、第２比較例における画素及び副画素の配置例を示す図である。
【図１９】図１９は、第２比較例で色付きが生じる入力信号のパターンを示す図である。
【図２０】図２０は、図１８に示す第２比較例で図１９の入力信号に基づいた表示出力を行った場合に色付きが生じる仕組みを示す模式図である。
【図２１】図２１は、実施形態１における色の割り付け例を示す図である。
【図２２】図２２は、実施形態１の変形例における複数の画素の配置及び各画素が有する副画素の配置の他の一例を示す図である。
【図２３】図２３は、実施形態２における複数の画素の配置及び各画素が有する副画素の配置の一例を示す図である。
【図２４】図２４は、実施形態２における色の割り付け例を示す図である。
【図２５】図２５は、実施形態２の変形例における複数の画素の配置及び各画素が有する副画素の配置の他の一例を示す図である。
【図２６】図２６は、実施形態３における複数の画素の配置及び各画素が有する副画素の配置の一例を示す図である。
【図２７】図２７は、実施形態３における色の割り付け例を示す図である。
【図２８】図２８は、実施形態３の変形例における複数の画素の配置及び各画素が有する副画素の配置の他の一例を示す図である。
【図２９】図２９は、実施形態４における複数の画素の配置及び各画素が有する副画素の配置の一例を示す図である。
【図３０】図３０は、実施形態４における色の割り付け例を示す図である。
【図３１】図３１は、実施形態４の変形例における複数の画素の配置及び各画素が有する副画素の配置の他の一例を示す図である。
【発明を実施するための形態】
【０００８】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（実施形態１）
図１は、実施形態１に係る表示装置１０の構成の一例を示すブロック図である。図２は、実施形態１に係る画像表示パネル４０の概念図である。図１に示すように、実施形態１の表示装置１０は、信号処理部２０と、画像表示パネル駆動部３０と、画像表示パネル４０と、光源駆動部５０と、光源ユニット６０とを有する。信号処理部２０は、制御装置１１の画像出力部１２からの入力信号（ＲＧＢデータ）が入力され、入力信号に所定のデータ変換処理を加えて生成した信号を表示装置１０の各部に送る。画像表示パネル駆動部３０は、信号処理部２０からの信号に基づいて画像表示パネル４０の駆動を制御する。光源駆動部５０は、信号処理部２０からの信号に基づいて光源ユニット６０の駆動を制御する。光源ユニット６０は、光源駆動部５０の信号に基づいて画像表示パネル４０を背面から照明する。画像表示パネル４０は、画像表示パネル駆動部３０からの信号及び光源ユニット６０からの光により画像を表示させる。
【００１０】
画像表示パネル４０は、画像を表示するための画像表示面４１に、１２個以上の画素４８が、２次元のマトリクス状（行列状）に配列されている。図１に示す例は、ＸＹの２次元座標系に複数の画素４８がマトリクス状に配列されている例を示している。この例において、Ｘ方向は、行方向であり、Ｙ方向は、列方向であるが、これに限られず、Ｘ方向が垂直方向であってＹ方向が水平方向であってもよい。なお、実施形態１における複数の画素４８の各々は、後述する第１画素４８ａ、第２画素４８ｂ、第３画素４８ｃのいずれかである（図２、図３参照）。
【００１１】
画素４８は、第１副画素４９Ｒと、第２副画素４９Ｇと、第３副画素４９Ｂのうち２つを有する。第１副画素４９Ｒは、第１色（例えば、赤色）を表示する。第２副画素４９Ｇは、第２色（例えば、緑色）を表示する。第３副画素４９Ｂは、第３色（例えば、青色）を表示する。第１色、第２色及び第３色は、赤色、緑色及び青色に限られず、補色などでもよく、互いに色が異なっていればよい。以下において、第１副画素４９Ｒと、第２副画素４９Ｇと、第３副画素４９Ｂとをそれぞれ区別する必要がない場合、副画素４９という。すなわち、１つの副画素４９には、３色のうちいずれか１色が割り当てられている。
【００１２】
実施形態１の画像表示パネル４０は、例えば透過式のカラー液晶表示パネルである。画像表示パネル４０には、第１副画素４９Ｒと画像観察者との間に第１色を通過させる第１カラーフィルタが配置されている。また、画像表示パネル４０には、第２副画素４９Ｇと画像観察者との間に第２色を通過させる第２カラーフィルタが配置されている。また、画像表示パネル４０には、第３副画素４９Ｂと画像観察者との間に第３色を通過させる第３カラーフィルタが配置されている。
【００１３】
画像表示パネル駆動部３０は、信号出力回路３１及び走査回路３２を有する。画像表示パネル駆動部３０は、信号出力回路３１によって出力信号を保持し、順次、画像表示パネル４０に出力する。より詳しくは、信号出力回路３１は、信号処理部２０からの出力信号に応じた所定の電位を有する画像信号を、画像表示パネル４０に出力する。信号出力回路３１は、信号線ＤＴＬによって画像表示パネル４０と電気的に接続されている。走査回路３２は、画像表示パネル４０における副画素４９の動作（光透過率）を制御するためのスイッチング素子のＯＮ／ＯＦＦを制御する。当該スイッチング素子は、例えば薄膜トランジスタ（ＴＦＴ：Thin  Film  Transistor）である。走査回路３２は、配線ＳＣＬによって画像表示パネル４０と電気的に接続されている。
【００１４】
光源ユニット６０は、画像表示パネル４０の背面に配置され、画像表示パネル４０に向けて光を照射することで、画像表示パネル４０を照明する。
【００１５】
図３は、実施形態１における複数の画素４８の配置及び各画素４８が有する副画素４９の配置の一例を示す図である。図２、図３で例示するように、実施形態１における複数の画素４８の各々は、第１画素４８ａ、第２画素４８ｂ、第３画素４８ｃのいずれかである。第１画素４８ａは、相対的にＸ方向の一端側に配置された第１副画素４９Ｒと、他端側に配置された第２副画素４９Ｇとを有する。一端側と他端側の位置関係の一例を挙げると、Ｙ方向が上下方向となる向きでユーザが画像表示面４１を視認する場合、一端側は左辺側になり、他端側は右辺側になる。第２画素４８ｂは、相対的にＸ方向の一端側に配置された第１副画素４９Ｒと、他端側に配置された第３副画素４９Ｂとを有する。第３画素４８ｃは、相対的にＸ方向の一端側に配置された第２副画素４９Ｇと、他端側に配置された第３副画素４９Ｂとを有する。このように、１つの画素４８は、一方向（例えば、Ｘ方向）に並ぶ２つの副画素４９を有する。また、１つの画素４８が有する２つの副画素４９の色は異なる。図２及び図３では、左側がＸ方向の一端側であり、右側がＸ方向の他端側である。
【００１６】
第１画素４８ａ、第２画素４８ｂ、第３画素４８ｃは、Ｘ方向の一端側から他端側に向かって所定の順序で並ぶ。実施形態１では、第１画素４８ａ、第２画素４８ｂ、第３画素４８ｃ、第１画素４８ａ、第２画素４８ｂ、第３画素４８ｃ、…のように並ぶ。すなわち、第１画素４８ａの他端側に第２画素４８ｂがある。また、第２画素４８ｂの他端側に第３画素４８ｃがある。また、第３画素４８ｃの他端側に第１画素４８ａがある。このような第１画素４８ａ、第２画素４８ｂ、第３画素４８ｃの並びが、Ｘ方向の他端まで続く。言い換えれば、Ｘ方向の一端を除いて、第１画素４８ａの一端側に第３画素４８ｃがある。また、第３画素４８ｃの一端側に第２画素４８ｂがある。また、第２画素４８ｂの一端側に第１画素４８ａがある。このように、３色のうち１つの画素４８が有する２つの副画素４９に割り当てられていない１色は、当該１つの画素４８に対して一方向（例えば、Ｘ方向）に隣接する画素４８が有する２つの副画素４９のいずれか一方に割り当てられている。
【００１７】
ここで、副画素４９の色（第１副画素４９Ｒと、第２副画素４９Ｇと、第３副画素４９Ｂ）とＸ方向の並び順に注目すると、各画素行において、Ｘ方向の一端側から他端側に向かって、第１副画素４９Ｒ、第２副画素４９Ｇ、第１副画素４９Ｒ、第３副画素４９Ｂ、第２副画素４９Ｇ、第３副画素４９Ｂの並びを繰り返すように副画素４９が配置されている。すなわち、第１色（例えば、赤色）を割り当てられた２つの第１副画素４９Ｒは、第２色（例えば、緑色）を割り当てられた１つの第２副画素４９Ｇを挟んでＸ方向に並んでいる。また、第３色（例えば、青色）を割り当てられた２つの第３副画素４９Ｂは、第２色（例えば、緑色）を割り当てられた１つの第２副画素４９Ｇを挟んでＸ方向に並んでいる。このように、画像表示パネル４０が有する副画素４９の配置は、同じ色が割り当てられた副画素４９同士の間に他の色が割り当てられた副画素４９を１つ間に挟んで一方向（例えば、Ｘ方向）に並ぶ副画素４９の配置を含む。また、実施形態１では、３色のうち２色（例えば、赤色と青色）のいずれかが割り当てられた副画素４９同士は、３色のうち残りの１色（例えば、緑色）が割り当てられた副画素４９を１つ間に挟んで一方向（例えば、Ｘ方向）に並ぶ。
【００１８】
一方、他方向（例えば、Ｙ方向）に並ぶ複数の画素４８がそれぞれ有する２つの副画素４９の色及び配置は同じである。例えば図３に示すように、第１画素４８ａ、第２画素４８ｂ、第３画素４８ｃはそれぞれ、Ｙ方向に同じ種類の画素４８が連続して並んでいる。従って、副画素４９の色（第１副画素４９Ｒと、第２副画素４９Ｇと、第３副画素４９Ｂ）とＹ方向の並びに注目すると、同じ色の副画素４９が連続して並んでいる。
【００１９】
以上のように説明した画素４８及び副画素４９の配置を有する表示装置１０によれば、入力画像に含まれない明暗のパターンが視認される表示出力を抑制することができる。以下、図４から図１２を参照して、表示装置１０と入力画像に含まれない明暗のパターンとの関係について説明する。
【００２０】
図４は、第１比較例における画素及び副画素４９の配置例を示す図である。第１比較例では、Ｘ方向の一端側から他端側に向かって、第１副画素４９Ｒ、第２副画素４９Ｇ、第３副画素４９Ｂの並びを繰り返すように副画素４９が配置されている。また、第１比較例では、Ｙ方向の一端側から他端側に向かって、第１副画素４９Ｒ、第３副画素４９Ｂ、第２副画素４９Ｇ、第３副画素４９Ｂの並びを繰り返すように副画素４９が配置されている。
【００２１】
このような副画素４９の並びと関連して、第１比較例が有する複数の画素４８の各々は、第７画素４８ｐ、第８画素４８ｑ、第９画素４８ｒのいずれかである。第７画素４８ｐは、相対的にＸ方向の一端側に配置された第１副画素４９Ｒと、他端側に配置された第２副画素４９Ｇとを有する。第８画素４８ｑは、相対的にＸ方向の一端側に配置された第３副画素４９Ｂと、他端側に配置された第１副画素４９Ｒとを有する。第９画素４８ｒは、相対的にＸ方向の一端側に配置された第２副画素４９Ｇと、他端側に配置された第３副画素４９Ｂとを有する。第７画素４８ｐ、第８画素４８ｑ、第９画素４８ｒは、Ｘ方向の一端側から他端側に向かって、第７画素４８ｐ、第８画素４８ｑ、第９画素４８ｒの順序で繰り返し並ぶ。また、第７画素４８ｐ、第８画素４８ｑ、第９画素４８ｒは、Ｙ方向の一端側から他端側に向かって、第７画素４８ｐ、第８画素４８ｑ、第９画素４８ｒ、第８画素４８ｑの順序で繰り返し並ぶ。
【００２２】
図５は、Ｘ方向に沿って黒色の画素列と白色の画素列とが交互に並ぶ画像の模式例を示す図である。図６は、図４に示す第１比較例に図５の画像が入力された場合の表示出力例を示す画像である。第１比較例では、例えば図５に示すようなＹ方向に沿う黒色又は白色の画素列のみを含むストライプ画像の入力画像に対応する表示出力において、Ｘ方向及びＹ方向に交差する方向に沿う階段状のパターンが視認される。このような階段状のパターンは、入力画像に含まれない明暗のパターンである。
【００２３】
図７は、図６の画像に含まれている階段状の模式図である。図７におけるマスキングは、図６におけるＸ方向及びＹ方向に交差するような屈曲を含む階段状のパターンを模式的に示したものである。図４及び図７に示すように、第７画素４８ｐ、第８画素４８ｑ、第９画素４８ｒはそれぞれ赤色（Ｒ）、緑色（Ｇ）、青色（Ｂ）の３色のうち２色の副画素４９を有する。言い換えれば、第７画素４８ｐ、第８画素４８ｑ、第９画素４８ｒはそれぞれ、当該３色のうち１色の副画素４９を有しない。一方、白色の表示出力は、当該３色の色成分を必要とする。このため、第１比較例では、入力画像における白色の画素列に対応する位置の第７画素４８ｐ、第８画素４８ｑ、第９画素４８ｒに対してＸ方向に隣接する副画素４９を点灯させることで、白色の表示出力を行う制御が行われていた。具体的には、例えば第１副画素４９Ｒ及び第２副画素４９Ｇを有する第７画素４８ｐに対してＸ方向に隣接する２つの第３副画素４９Ｂがさらに点灯することで、白色を再現していた。ここで、第７画素４８ｐが有しない副画素４９の色の成分である青色成分は、Ｘ方向に隣接する２つの第３副画素４９Ｂに半分ずつ分散されていた。同様の仕組みで、第８画素４８ｑに対してＸ方向に隣接する２つの第２副画素４９Ｇが点灯していた。また、第９画素４８ｒに対してＸ方向に隣接する２つの第１副画素４９Ｒが点灯していた。
【００２４】
白色の画素列を構成する第７画素４８ｐ、第８画素４８ｑ、第９画素４８ｒはそれぞれ、同じ階調値に対応する表示出力となるよう制御される。一方、同じ階調値に対応する表示出力となるよう副画素４９が点灯した場合、ヒトの目には、緑色（Ｇ）、赤色（Ｒ）、青色（Ｂ）の順に明るく見える。このため、階調値が同じであっても、第２副画素４９Ｇは、第１副画素４９Ｒ及び第３副画素４９Ｂよりも明るく見える。また、第１副画素４９Ｒは、第３副画素４９Ｂよりも明るく見える。言い換えれば、Ｙ方向に連続する第７画素４８ｐ、第８画素４８ｑ、第９画素４８ｒのうち、第７画素４８ｐに隣接する第３副画素４９Ｂは、相対的に最も暗く見えるため、白色の画素列に隣接している黒色の画素列の表示出力と連続している暗部として視認される。また、第８画素４８ｑに隣接する第２副画素４９Ｇは、相対的に最も明るく見えるため、白色の画素列と連続している明部として視認される。第７画素４８ｐに隣接する第１副画素４９Ｒは、明部と暗部との間の中間階調部のように視認される。
【００２５】
図４を参照して説明したように、第１比較例では、Ｙ方向の一端側から他端側に向かって、第７画素４８ｐ、第８画素４８ｑ、第９画素４８ｒ、第８画素４８ｑの順序で繰り返し並ぶ。このため、白色の画素列に隣接する副画素４９の表示出力は、明部、中間階調部、暗部、中間階調部の順で繰り返し並んでいるように視認される。このような明部、中間階調部、暗部、中間階調部の繰り返しが、階段状のパターンとして認識される。
【００２６】
図８は、Ｘ方向に沿って黒色の画素列と白色の画素列とが千鳥状に並ぶ市松模様の画像の模式例を示す図である。図９は、図４に示す第１比較例に図８の画像が入力された場合の表示出力例を示す画像である。第１比較例では、例えば図８に示すような市松模様の入力画像に対応する表示出力において、Ｘ方向及びＹ方向に交差する斜め方向への傾斜を含むジグザグのパターンが視認される。このようなジグザグのパターンは、入力画像に含まれない明暗のパターンである。
【００２７】
図１０は、図９の画像に含まれているジグザグの模式図である。図１０における一点破線Ｌは、図９におけるジグザグのパターンのうち、明るいジグザグのパターンを模式的に示したものである。上記で説明したように、同じ階調値に対応する表示出力となるよう副画素４９が点灯した場合、ヒトの目には、緑色（Ｇ）、赤色（Ｒ）、青色（Ｂ）の順に明るく見える。このため、第１副画素４９Ｒと第２副画素４９Ｇを有する第７画素４８ｐが最も明るく見える。また、第１比較例では、Ｘ方向の一端側から他端側に向かって、第７画素４８ｐ、第８画素４８ｑ、第９画素４８ｒの順序で繰り返し並び、かつ、Ｙ方向の一端側から他端側に向かって、第７画素４８ｐ、第８画素４８ｑ、第９画素４８ｒ、第８画素４８ｑの順序で繰り返し並ぶ。このため、第７画素４８ｐは、Ｘ方向に３画素分の幅の範囲内で、Ｘ方向の一端側から他端側に向かって斜めに連続し、他端で折り返して一端側に向かって斜めに連続し、一端で折り返すというジグザグの連続パターンを形成するよう配置されている。このような配置の第７画素４８ｐが最も明るく見えることで、一点破線Ｌで示すように、明るいジグザグのパターンが視認される。なお、厳密には、市松模様の表示出力であっても、図７を参照して説明したように、白色の表示出力を行う第７画素４８ｐ、第８画素４８ｑ、第９画素４８ｒに対してＸ方向に隣接する副画素４９の点灯が行われるが、図１０を参照した説明では、分かりやすさを優先して説明を省略している。
【００２８】
以上、図５から図１０を参照して説明したように、第１比較例では、入力画像に含まれない明暗のパターンが視認されることがある。これに対し、実施形態１によれば、このような明暗のパターンの発生を抑制することができる。
【００２９】
図１１は、実施形態１の表示装置１０に図５の画像が入力された場合の表示出力例を示す模式図である。実施形態１では、Ｙ方向に並ぶ複数の画素４８がそれぞれ有する２つの副画素４９の色及び配置は同じである。このため、白色の画素列に対応する位置の画素４８に隣接する副画素４９が点灯したとしても、Ｙ方向に明部、中間階調部、暗部が交互に配置されることはない。従って、実施形態１の表示装置１０では、図５に示すようなストライプ画像の入力画像に対応する表示出力において、図６におけるＸ方向及びＹ方向に交差するような屈曲を含む階段状のパターンは視認されない。
【００３０】
図１２は、実施形態１の表示装置１０に図８の画像が入力された場合の表示出力例を示す模式図である。実施形態１では、第１画素４８ａ、第２画素４８ｂ、第３画素４８ｃはそれぞれ、Ｙ方向に同じ種類の画素４８が連続して並んでいる。このため、実施形態１の表示装置１０は、第１比較例におけるジグザグの連続パターンを形成する画素４８の配置（図４参照）を有しない。従って、実施形態１の表示装置１０では、図８に示すような市松模様の入力画像に対応する表示出力において、Ｘ方向及びＹ方向に交差する斜め方向への傾斜を含むジグザグのパターンは視認されない。
【００３１】
次に、信号処理部２０について説明する。信号処理部２０は、複数の画素４８の各々に対する入力信号に含まれる３色の階調値に基づいて副画素４９の各々の出力階調値を算出する。信号処理部２０は、出力階調値に対応した表示出力を画像表示パネル４０に行わせるための信号を、出力信号として出力する。
【００３２】
信号処理部２０は、隣接する２つの画素４８のうち一方の画素４８に対する入力信号に含まれる１色の階調値が他方の画素４８に対する入力信号に含まれる当該１色の階調値よりも大きい場合、以下の式（１）に基づいて一方の画素４８が有する当該１色の副画素４９の出力階調値を算出する。式（１）及び後述する式（２）に含まれるＯｕｔ（ｎ）は、一方の画素４８が有する当該１色の副画素４９の出力階調値である。また、Ｉｎ（ｎ）は、一方の画素４８に対する入力信号に含まれる１色の階調値である。また、Ｉｎ（ｍ）は、他方の画素４８に対する入力信号に含まれる当該１色の階調値である。また、式（１）に含まれるａは、予め定められた係数である。
Ｏｕｔ（ｎ）＝Ｉｎ（ｎ）−（Ｉｎ（ｎ）−Ｉｎ（ｍ））×ａ…（１）
【００３３】
信号処理部２０は、隣接する２つの画素４８のうち一方の画素４８に対する入力信号に含まれる１色の階調値が他方の画素４８に対する入力信号に含まれる当該１色の階調値よりも小さい場合、以下の式（２）に基づいて一方の画素４８が有する当該１色の副画素４９の出力階調値を算出する。式（２）に含まれるｂは、予め定められた係数である。ここで、式（１）に含まれるａと、式（２）に含まれるｂとは、ａ＜ｂを満たす。
Ｏｕｔ（ｎ）＝Ｉｎ（ｎ）＋（Ｉｎ（ｍ）−Ｉｎ（ｎ））×ｂ…（２）
【００３４】
なお、「隣接する２つの画素」とは、ある１つの画素４８と、当該画素４８に対してＸ方向又はＸ方向及びＹ方向に交差する斜め方向に隣接する１つの画素４８とをさす。以下、第１画素４８ａ、第２画素４８ｂ、第３画素４８ｃにそれぞれ上記の式（１），（２）を適用した場合の具体的な処理内容について、順次説明する。
【００３５】
図１３は、第１画素４８ａと、第１画素４８ａに隣接する画素４８との関係を示す模式図である。図１３及び後述する図１４、図１５を参照した説明では、画像表示パネル４０におけるＸ方向の画素４８の数がｗ（ｗ＞６）であるものとする。また、当該説明では、複数の画素４８が配置された表示領域が矩形状（図１参照）である画像表示パネル４０において、矩形が有する４頂点のうち１つ（図１における左上）に配置された画素４８を原点とした座標系で画素４８の配置を表す。この座標系では、ある画素４８（基準画素）の配置を表す数値をｎとする。この座標系では、例えば基準画素が有する第１副画素４９Ｒの座標はＲ（ｎ）になる。また、基準画素が有する第２副画素４９Ｇの座標はＧ（ｎ）になる。また、基準画素が有する第３副画素４９Ｂの座標はＢ（ｎ）になる。また、基準画素に対してＸ方向の一端側に配置された画素４８の座標を表す数値は、ｎ−１になる。また、基準画素に対してＸ方向の他端側に配置された画素４８の座標を表す数値は、ｎ＋１になる。また、基準画素に対してＹ方向の一端側に配置された画素４８の座標を表す数値は、ｎ−ｗになる。また、基準画素に対してＹ方向の他端側に配置された画素４８の座標を表す数値は、ｎ＋ｗになる。
【００３６】
以下、基準画素に対する入力信号に含まれる階調値（ＲＧＢデータ）の表記を（Ｒｉｎ（ｎ），Ｇｉｎ（ｎ），Ｂｉｎ（ｎ））とする。また、基準画素に対する出力階調値をＲＧＢデータとした場合の表記を、（Ｒｏｕｔ（ｎ），Ｇｏｕｔ（ｎ），Ｂｏｕｔ（ｎ））とする。他の画素４８に対する入力信号の階調値及び出力階調値は、これらの基準画素に対する入力信号の階調値及び出力階調値の表記に上記の座標系で表される数値を当てはめて表す。
【００３７】
例えば、図１３における基準画素である第１画素４８ａは、第１副画素４９Ｒと第２副画素４９Ｇとを有する。一方、第１画素４８ａに隣接する第２画素４８ｂは、第２副画素４９Ｇを有しない。このため、信号処理部２０は、第２画素４８ｂに対する入力信号の色成分のうち、第２画素４８ｂが有しない第２副画素４９Ｇに対応する緑色成分を、当該第２画素４８ｂに隣接する第１画素４８ａが有する第２副画素４９Ｇに割り付ける。具体的には、信号処理部２０は、例えば基準画素である第１画素４８ａを一方の画素４８とし、基準画素に隣接する第２画素４８ｂを他方の画素４８とする。信号処理部２０は、一方の画素４８に対する入力信号の緑色成分（Ｇｉｎ（ｎ））と他方の画素４８に対する入力信号の緑色成分（例えば、Ｇｉｎ（ｎ＋１））との大小を比較する。ここで、他方の画素４８に対する入力信号の緑色成分（例えば、Ｇｉｎ（ｎ＋１））に対して、一方の画素４８に対する入力信号の緑色成分（Ｇｉｎ（ｎ））の方が大きい場合、上記の式（１）に基づいて、以下の式（３）が導出される。一方の画素４８に対する入力信号の緑色成分（Ｇｉｎ（ｎ））の方が小さい場合、上記の式（２）に基づいて、以下の式（４）が導出される。信号処理部２０は、例えば式（３）又は式（４）に基づいて一方の画素４８の出力階調値における緑色成分（Ｇｏｕｔ（ｎ））を決定する。
Ｇｏｕｔ（ｎ）＝Ｇｉｎ（ｎ）−（Ｇｉｎ（ｎ）−Ｇｉｎ（ｎ＋１））×ａ…（３）
Ｇｏｕｔ（ｎ）＝Ｇｉｎ（ｎ）＋（Ｇｉｎ（ｎ＋１）−Ｇｉｎ（ｎ））×ｂ…（４）
【００３８】
成分の割り付けが行われる２つの画素４８の隣接方向は、斜め方向であってもよい。従って、他方の画素４８に対する入力信号の緑色成分を「Ｇｉｎ（ｎ＋ｗ＋１）」にしてもよいし、「Ｇｉｎ（ｎ−ｗ＋１）」にしてもよい。他方の画素４８に対する入力信号の緑色成分を「Ｇｉｎ（ｎ＋ｗ＋１）」にした場合、信号処理部２０は、以下の式（５）又は式（６）に基づいて一方の画素４８の出力階調値における緑色成分（Ｇｏｕｔ（ｎ））を決定する。他方の画素４８に対する入力信号の緑色成分を「Ｇｉｎ（ｎ−ｗ＋１）」にした場合、信号処理部２０は、以下の式（７）又は式（８）に基づいて一方の画素４８の出力階調値における緑色成分（Ｇｏｕｔ（ｎ））を決定する。
Ｇｏｕｔ（ｎ）＝Ｇｉｎ（ｎ）−（Ｇｉｎ（ｎ）−Ｇｉｎ（ｎ＋ｗ＋１））×ａ…（５）
Ｇｏｕｔ（ｎ）＝Ｇｉｎ（ｎ）＋（Ｇｉｎ（ｎ＋ｗ＋１）−Ｇｉｎ（ｎ））×ｂ…（６）
Ｇｏｕｔ（ｎ）＝Ｇｉｎ（ｎ）−（Ｇｉｎ（ｎ）−Ｇｉｎ（ｎ−ｗ＋１））×ａ…（７）
Ｇｏｕｔ（ｎ）＝Ｇｉｎ（ｎ）＋（Ｇｉｎ（ｎ−ｗ＋１）−Ｇｉｎ（ｎ））×ｂ…（８）
【００３９】
また、第１画素４８ａに隣接する第３画素４８ｃは、第１副画素４９Ｒを有しない。このため、信号処理部２０は、第３画素４８ｃに対する入力信号の色成分のうち、第３画素４８ｃが有しない第１副画素４９Ｒに対応する赤色成分を、当該第３画素４８ｃに隣接する第１画素４８ａが有する第１副画素４９Ｒに割り付ける。具体的には、信号処理部２０は、例えば基準画素である第１画素４８ａを一方の画素４８とし、基準画素に隣接する第３画素４８ｃを他方の画素４８とする。信号処理部２０は、一方の画素４８に対する入力信号の赤色成分（Ｒｉｎ（ｎ））と他方の画素４８に対する入力信号の赤色成分（例えば、Ｒｉｎ（ｎ−１））との大小を比較する。ここで、他方の画素４８に対する入力信号の赤色成分（例えば、Ｒｉｎ（ｎ−１））に対して、一方の画素４８に対する入力信号の赤色成分（Ｒｉｎ（ｎ））の方が大きい場合、上記の式（１）に基づいて、以下の式（９）が導出される。一方の画素４８に対する入力信号の赤色成分（Ｒｉｎ（ｎ））の方が小さい場合、上記の式（２）に基づいて、以下の式（１０）が導出される。信号処理部２０は、例えば式（９）又は式（１０）に基づいて一方の画素４８の出力階調値における赤色成分（Ｒｏｕｔ（ｎ））を決定する。
Ｒｏｕｔ（ｎ）＝Ｒｉｎ（ｎ）−（Ｒｉｎ（ｎ）−Ｒｉｎ（ｎ−１））×ａ…（９）
Ｒｏｕｔ（ｎ）＝Ｒｉｎ（ｎ）＋（Ｒｉｎ（ｎ−１）−Ｒｉｎ（ｎ））×ｂ…（１０）
【００４０】
成分の割り付けが行われる２つの画素４８の隣接方向は、斜め方向であってもよい。従って、他方の画素４８に対する入力信号の赤色成分を「Ｒｉｎ（ｎ＋ｗ−１）」にしてもよいし、「Ｒｉｎ（ｎ−ｗ−１）」にしてもよい。他方の画素４８に対する入力信号の赤色成分を「Ｒｉｎ（ｎ＋ｗ−１）」にした場合、信号処理部２０は、以下の式（１１）又は式（１２）に基づいて一方の画素４８の出力階調値における赤色成分（Ｒｏｕｔ（ｎ））を決定する。他方の画素４８に対する入力信号の赤色成分を「Ｒｉｎ（ｎ−ｗ−１）」にした場合、信号処理部２０は、以下の式（１３）又は式（１４）に基づいて一方の画素４８の出力階調値における赤色成分（Ｒｏｕｔ（ｎ））を決定する。
Ｒｏｕｔ（ｎ）＝Ｒｉｎ（ｎ）−（Ｒｉｎ（ｎ）−Ｒｉｎ（ｎ＋ｗ−１））×ａ…（１１）
Ｒｏｕｔ（ｎ）＝Ｒｉｎ（ｎ）＋（Ｒｉｎ（ｎ＋ｗ−１）−Ｒｉｎ（ｎ））×ｂ…（１２）
Ｒｏｕｔ（ｎ）＝Ｒｉｎ（ｎ）−（Ｒｉｎ（ｎ）−Ｒｉｎ（ｎ−ｗ−１））×ａ…（１３）
Ｒｏｕｔ（ｎ）＝Ｒｉｎ（ｎ）＋（Ｒｉｎ（ｎ−ｗ−１）−Ｒｉｎ（ｎ））×ｂ…（１４）
【００４１】
第１画素４８ａは、第３副画素４９Ｂを有しない。従って、基準画素が第１画素４８ａである場合、当該第１画素４８ａの出力階調値における青色成分（Ｂｏｕｔ（ｎ））は算出されない。当該第１画素４８ａに対する入力信号の青色成分（Ｂｉｎ（ｎ））は、隣接する他の画素４８（例えば、第２画素４８ｂ、第３画素４８ｃ）が有する第３副画素４９Ｂに割り付けられる。
【００４２】
図１４は、第２画素４８ｂと、第２画素４８ｂに隣接する画素４８との関係を示す模式図である。図１４における基準画素である第２画素４８ｂは、第１副画素４９Ｒと第３副画素４９Ｂとを有する。一方、第２画素４８ｂに隣接する第１画素４８ａは、第３副画素４９Ｂを有しない。このため、信号処理部２０は、第１画素４８ａに対する入力信号の色成分のうち、第１画素４８ａが有しない第３副画素４９Ｂに対応する青色成分を、当該第１画素４８ａに隣接する第２画素４８ｂが有する第３副画素４９Ｂに割り付ける。具体的には、信号処理部２０は、例えば基準画素である第２画素４８ｂを一方の画素４８とし、基準画素に隣接する第１画素４８ａを他方の画素４８とする。信号処理部２０は、一方の画素４８に対する入力信号の青色成分（Ｂｉｎ（ｎ））と他方の画素４８に対する入力信号の青色成分（例えば、Ｂｉｎ（ｎ−１））との大小を比較する。ここで、他方の画素４８に対する入力信号の青色成分（例えば、Ｂｉｎ（ｎ−１））に対して、一方の画素４８に対する入力信号の青色成分（Ｂｉｎ（ｎ））の方が大きい場合、上記の式（１）に基づいて、以下の式（１５）が導出される。一方の画素４８に対する入力信号の青色成分（Ｂｉｎ（ｎ））の方が小さい場合、上記の式（２）に基づいて、以下の式（１６）が導出される。信号処理部２０は、例えば式（１５）又は式（１６）に基づいて一方の画素４８の出力階調値における青色成分（Ｂｏｕｔ（ｎ））を決定する。
Ｂｏｕｔ（ｎ）＝Ｂｉｎ（ｎ）−（Ｂｉｎ（ｎ）−Ｂｉｎ（ｎ−１））×ａ…（１５）
Ｂｏｕｔ（ｎ）＝Ｂｉｎ（ｎ）＋（Ｂｉｎ（ｎ−１）−Ｂｉｎ（ｎ））×ｂ…（１６）
【００４３】
成分の割り付けが行われる２つの画素４８の隣接方向は、斜め方向であってもよい。従って、他方の画素４８に対する入力信号の青色成分を「Ｂｉｎ（ｎ＋ｗ−１）」にしてもよいし、「Ｂｉｎ（ｎ−ｗ−１）」にしてもよい。他方の画素４８に対する入力信号の青色成分を「Ｂｉｎ（ｎ＋ｗ−１）」にした場合、信号処理部２０は、以下の式（１７）又は式（１８）に基づいて一方の画素４８の出力階調値における青色成分（Ｂｏｕｔ（ｎ））を決定する。他方の画素４８に対する入力信号の青色成分を「Ｂｉｎ（ｎ−ｗ−１）」にした場合、信号処理部２０は、以下の式（１９）又は式（２０）に基づいて一方の画素４８の出力階調値における青色成分（Ｂｏｕｔ（ｎ））を決定する。
Ｂｏｕｔ（ｎ）＝Ｂｉｎ（ｎ）−（Ｂｉｎ（ｎ）−Ｂｉｎ（ｎ＋ｗ−１））×ａ…（１７）
Ｂｏｕｔ（ｎ）＝Ｂｉｎ（ｎ）＋（Ｂｉｎ（ｎ＋ｗ−１）−Ｂｉｎ（ｎ））×ｂ…（１８）
Ｂｏｕｔ（ｎ）＝Ｂｉｎ（ｎ）−（Ｂｉｎ（ｎ）−Ｂｉｎ（ｎ−ｗ−１））×ａ…（１９）
Ｂｏｕｔ（ｎ）＝Ｂｉｎ（ｎ）＋（Ｂｉｎ（ｎ−ｗ−１）−Ｂｉｎ（ｎ））×ｂ…（２０）
【００４４】
また、第２画素４８ｂに隣接する第３画素４８ｃは、第１副画素４９Ｒを有しない。このため、信号処理部２０は、第３画素４８ｃに対する入力信号の色成分のうち、第３画素４８ｃが有しない第１副画素４９Ｒに対応する赤色成分を、当該第３画素４８ｃに隣接する第２画素４８ｂが有する第１副画素４９Ｒに割り付ける。具体的には、信号処理部２０は、例えば基準画素である第２画素４８ｂを一方の画素４８とし、基準画素に隣接する第３画素４８ｃを他方の画素４８とする。信号処理部２０は、一方の画素４８に対する入力信号の赤色成分（Ｒｉｎ（ｎ））と他方の画素４８に対する入力信号の赤色成分（例えば、Ｒｉｎ（ｎ＋１））との大小を比較する。ここで、他方の画素４８に対する入力信号の赤色成分（例えば、Ｒｉｎ（ｎ＋１））に対して、一方の画素４８に対する入力信号の赤色成分（Ｒｉｎ（ｎ））の方が大きい場合、上記の式（１）に基づいて、以下の式（２１）が導出される。一方の画素４８に対する入力信号の赤色成分（Ｒｉｎ（ｎ））の方が小さい場合、上記の式（２）に基づいて、以下の式（２２）が導出される。信号処理部２０は、例えば式（２１）又は式（２２）に基づいて一方の画素４８の出力階調値における赤色成分（Ｒｏｕｔ（ｎ））を決定する。
Ｒｏｕｔ（ｎ）＝Ｒｉｎ（ｎ）−（Ｒｉｎ（ｎ）−Ｒｉｎ（ｎ＋１））×ａ…（２１）
Ｒｏｕｔ（ｎ）＝Ｒｉｎ（ｎ）＋（Ｒｉｎ（ｎ＋１）−Ｒｉｎ（ｎ））×ｂ…（２２）
【００４５】
成分の割り付けが行われる２つの画素４８の隣接方向は、斜め方向であってもよい。従って、他方の画素４８に対する入力信号の赤色成分を「Ｒｉｎ（ｎ＋ｗ＋１）」にしてもよいし、「Ｒｉｎ（ｎ−ｗ＋１）」にしてもよい。他方の画素４８に対する入力信号の赤色成分を「Ｒｉｎ（ｎ＋ｗ＋１）」にした場合、信号処理部２０は、以下の式（２３）又は式（２４）に基づいて一方の画素４８の出力階調値における赤色成分（Ｒｏｕｔ（ｎ））を決定する。他方の画素４８に対する入力信号の赤色成分を「Ｒｉｎ（ｎ−ｗ＋１）」にした場合、信号処理部２０は、以下の式（２５）又は式（２６）に基づいて一方の画素４８の出力階調値における赤色成分（Ｒｏｕｔ（ｎ））を決定する。
Ｒｏｕｔ（ｎ）＝Ｒｉｎ（ｎ）−（Ｒｉｎ（ｎ）−Ｒｉｎ（ｎ＋ｗ＋１））×ａ…（２３）
Ｒｏｕｔ（ｎ）＝Ｒｉｎ（ｎ）＋（Ｒｉｎ（ｎ＋ｗ＋１）−Ｒｉｎ（ｎ））×ｂ…（２４）
Ｒｏｕｔ（ｎ）＝Ｒｉｎ（ｎ）−（Ｒｉｎ（ｎ）−Ｒｉｎ（ｎ−ｗ＋１））×ａ…（２５）
Ｒｏｕｔ（ｎ）＝Ｒｉｎ（ｎ）＋（Ｒｉｎ（ｎ−ｗ＋１）−Ｒｉｎ（ｎ））×ｂ…（２６）
【００４６】
第２画素４８ｂは、第２副画素４９Ｇを有しない。従って、基準画素が第２画素４８ｂである場合、当該第２画素４８ｂの出力階調値における緑色成分（Ｇｏｕｔ（ｎ））は算出されない。当該第２画素４８ｂに対する入力信号の緑色成分（Ｇｉｎ（ｎ））は、隣接する他の画素４８（例えば、第１画素４８ａ、第３画素４８ｃ）が有する第２副画素４９Ｇに割り付けられる。
【００４７】
図１５は、第３画素４８ｃと、第３画素４８ｃに隣接する画素４８との関係を示す模式図である。図１５における基準画素である第３画素４８ｃは、第２副画素４９Ｇと第３副画素４９Ｂとを有する。一方、第３画素４８ｃに隣接する第１画素４８ａは、第３副画素４９Ｂを有しない。このため、信号処理部２０は、第１画素４８ａに対する入力信号の色成分のうち、第１画素４８ａが有しない第３副画素４９Ｂに対応する青色成分を、当該第１画素４８ａに隣接する第３画素４８ｃが有する第３副画素４９Ｂに割り付ける。具体的には、信号処理部２０は、例えば基準画素である第３画素４８ｃを一方の画素４８とし、基準画素に隣接する第１画素４８ａを他方の画素４８とする。信号処理部２０は、一方の画素４８に対する入力信号の青色成分（Ｂｉｎ（ｎ））と他方の画素４８に対する入力信号の青色成分（例えば、Ｂｉｎ（ｎ＋１））との大小を比較する。ここで、他方の画素４８に対する入力信号の青色成分（例えば、Ｂｉｎ（ｎ＋１））に対して、一方の画素４８に対する入力信号の青色成分（Ｂｉｎ（ｎ））の方が大きい場合、上記の式（１）に基づいて、以下の式（２７）が導出される。一方の画素４８に対する入力信号の青色成分（Ｂｉｎ（ｎ））の方が小さい場合、上記の式（２）に基づいて、以下の式（２８）が導出される。信号処理部２０は、例えば式（２７）又は式（２８）に基づいて一方の画素４８の出力階調値における青色成分（Ｂｏｕｔ（ｎ））を決定する。
Ｂｏｕｔ（ｎ）＝Ｂｉｎ（ｎ）−（Ｂｉｎ（ｎ）−Ｂｉｎ（ｎ＋１））×ａ…（２７）
Ｂｏｕｔ（ｎ）＝Ｂｉｎ（ｎ）＋（Ｂｉｎ（ｎ＋１）−Ｂｉｎ（ｎ））×ｂ…（２８）
【００４８】
成分の割り付けが行われる２つの画素４８の隣接方向は、斜め方向であってもよい。従って、他方の画素４８に対する入力信号の青色成分を「Ｂｉｎ（ｎ＋ｗ＋１）」にしてもよいし、「Ｂｉｎ（ｎ−ｗ＋１）」にしてもよい。他方の画素４８に対する入力信号の青色成分を「Ｂｉｎ（ｎ＋ｗ＋１）」にした場合、信号処理部２０は、以下の式（２９）又は式（３０）に基づいて一方の画素４８の出力階調値における青色成分（Ｂｏｕｔ（ｎ））を決定する。他方の画素４８に対する入力信号の青色成分を「Ｂｉｎ（ｎ−ｗ＋１）」にした場合、信号処理部２０は、以下の式（３１）又は式（３２）に基づいて一方の画素４８の出力階調値における青色成分（Ｂｏｕｔ（ｎ））を決定する。
Ｂｏｕｔ（ｎ）＝Ｂｉｎ（ｎ）−（Ｂｉｎ（ｎ）−Ｂｉｎ（ｎ＋ｗ＋１））×ａ…（２９）
Ｂｏｕｔ（ｎ）＝Ｂｉｎ（ｎ）＋（Ｂｉｎ（ｎ＋ｗ＋１）−Ｂｉｎ（ｎ））×ｂ…（３０）
Ｂｏｕｔ（ｎ）＝Ｂｉｎ（ｎ）−（Ｂｉｎ（ｎ）−Ｂｉｎ（ｎ−ｗ＋１））×ａ…（３１）
Ｂｏｕｔ（ｎ）＝Ｂｉｎ（ｎ）＋（Ｂｉｎ（ｎ−ｗ＋１）−Ｂｉｎ（ｎ））×ｂ…（３２）
【００４９】
また、第３画素４８ｃに隣接する第２画素４８ｂは、第２副画素４９Ｇを有しない。このため、信号処理部２０は、第２画素４８ｂに対する入力信号の色成分のうち、第２画素４８ｂが有しない第２副画素４９Ｇに対応する緑色成分を、当該第２画素４８ｂに隣接する第３画素４８ｃが有する第２副画素４９Ｇに割り付ける。具体的には、信号処理部２０は、例えば基準画素である第３画素４８ｃを一方の画素４８とし、基準画素に隣接する第２画素４８ｂを他方の画素４８とする。信号処理部２０は、一方の画素４８に対する入力信号の緑色成分（Ｇｉｎ（ｎ））と他方の画素４８に対する入力信号の緑色成分（例えば、Ｇｉｎ（ｎ−１））との大小を比較する。ここで、他方の画素４８に対する入力信号の緑色成分（例えば、Ｇｉｎ（ｎ−１））に対して、一方の画素４８に対する入力信号の緑色成分（Ｇｉｎ（ｎ））の方が大きい場合、上記の式（１）に基づいて、以下の式（３３）が導出される。一方の画素４８に対する入力信号の緑色成分（Ｇｉｎ（ｎ））の方が小さい場合、上記の式（２）に基づいて、以下の式（３４）が導出される。信号処理部２０は、例えば式（３３）又は式（３４）に基づいて一方の画素４８の出力階調値における緑色成分（Ｇｏｕｔ（ｎ））を決定する。
Ｇｏｕｔ（ｎ）＝Ｇｉｎ（ｎ）−（Ｇｉｎ（ｎ）−Ｇｉｎ（ｎ−１））×ａ…（３３）
Ｇｏｕｔ（ｎ）＝Ｇｉｎ（ｎ）＋（Ｇｉｎ（ｎ−１）−Ｇｉｎ（ｎ））×ｂ…（３４）
【００５０】
成分の割り付けが行われる２つの画素４８の隣接方向は、斜め方向であってもよい。従って、他方の画素４８に対する入力信号の緑色成分を「Ｇｉｎ（ｎ＋ｗ−１）」にしてもよいし、「Ｇｉｎ（ｎ−ｗ−１）」にしてもよい。他方の画素４８に対する入力信号の緑色成分を「Ｇｉｎ（ｎ＋ｗ−１）」にした場合、信号処理部２０は、以下の式（３５）又は式（３６）に基づいて一方の画素４８の出力階調値における緑色成分（Ｇｏｕｔ（ｎ））を決定する。他方の画素４８に対する入力信号の緑色成分を「Ｇｉｎ（ｎ−ｗ−１）」にした場合、信号処理部２０は、以下の式（３７）又は式（３８）に基づいて一方の画素４８の出力階調値における緑色成分（Ｇｏｕｔ（ｎ））を決定する。
Ｇｏｕｔ（ｎ）＝Ｇｉｎ（ｎ）−（Ｇｉｎ（ｎ）−Ｇｉｎ（ｎ＋ｗ−１））×ａ…（３５）
Ｇｏｕｔ（ｎ）＝Ｇｉｎ（ｎ）＋（Ｇｉｎ（ｎ＋ｗ−１）−Ｇｉｎ（ｎ））×ｂ…（３６）
Ｇｏｕｔ（ｎ）＝Ｇｉｎ（ｎ）−（Ｇｉｎ（ｎ）−Ｇｉｎ（ｎ−ｗ−１））×ａ…（３７）
Ｇｏｕｔ（ｎ）＝Ｇｉｎ（ｎ）＋（Ｇｉｎ（ｎ−ｗ−１）−Ｇｉｎ（ｎ））×ｂ…（３８）
【００５１】
このように、１つの画素４８が有する２つの副画素４９に割り当てられていない１色の色成分の入力があった場合、当該１つの画素４８に対して隣接する画素４８が有する当該１色の副画素４９に割り当てられる。実施形態１では、このような信号処理部２０による割り付け処理によって、入力画像に含まれない色付きのパターンが視認される表示出力を抑制することができる。以下、図１６から図２１を参照して、表示装置１０と入力画像に含まれない色付きのパターンとの関係について説明する。
【００５２】
図１６は、中間階調を含むストライプ状のグレースケール画像の模式例を示す図である。図１７は、Ｘ方向の一端側から他端側に向かって、第１副画素４９Ｒ、第２副画素４９Ｇ、第３副画素４９Ｂの並びを繰り返すように副画素４９が配置されている表示装置に図１６の画像が入力された場合の表示出力例を示す画像である。第１比較例のように、Ｘ方向の一端側から他端側に向かって、第１副画素４９Ｒ、第２副画素４９Ｇ、第３副画素４９Ｂの並びを繰り返すように副画素４９が配置されている表示装置では、意図しない色付きが発生することがある。図１７では明るさ以外の色情報が欠落しているが、実際には、シアン（Ｃ）、マゼンタ（Ｍ）、イエロー等（Ｙ）、グレースケール画像では本来出力されない色のストライプが視認される状態になっている。
【００５３】
図１８は、第２比較例における画素及び副画素４９の配置例を示す図である。図１８に示す表示装置では、第１比較例と同様、Ｘ方向の一端側から他端側に向かって、第１副画素４９Ｒ、第２副画素４９Ｇ、第３副画素４９Ｂの並びを繰り返すように副画素４９が配置されている。また、図１８に示す表示装置では、第７画素４８ｐ、第８画素４８ｑ、第９画素４８ｒはそれぞれ、Ｙ方向に連続して並んでいる。従って、副画素４９の色（第１副画素４９Ｒと、第２副画素４９Ｇと、第３副画素４９Ｂ）とＹ方向の並びに注目すると、同じ色の副画素４９が連続して並んでいる。
【００５４】
図１９は、第２比較例で色付きが生じる入力信号のパターンを示す図である。図１９のパターン１からパターン３は、赤色（Ｒ）、緑色（Ｇ）、青色（Ｂ）がそれぞれ８ビットの階調値で表されるＲＧＢデータを入力信号としたパターンである。また、図１９では、ストライプ状のグレースケール画像の入力信号のうち、１行分であって、かつ当該１行の一部分（６画素）を抜粋している。パターン１は、Ｘ方向の一端側から他端側に向かって、画素単位で、（Ｒ，Ｇ，Ｂ）＝（２５５，２５５，２５５），（２０５，２０５，２０５），（０，０，０），（２００，２００，２００），（２５５，２５５，２５５），（０，０，０）のＲＧＢデータが入力される場合を例示している。パターン２は、Ｘ方向の一端側から他端側に向かって、画素単位で、（Ｒ，Ｇ，Ｂ）＝（０，０，０），（２５０，２５０，２５０），（２１０，２１０，２１０），（０，０，０），（１９０，１９０，１９０），（２５５，２５５，２５５）のＲＧＢデータが入力される場合を例示している。パターン３は、Ｘ方向の一端側から他端側に向かって、画素単位で、（Ｒ，Ｇ，Ｂ）＝（０，０，０），（０，０，０），（２４５，２４５，２４５），（２１５，２１５，２１５），（０，０，０），（１９０，１９０，１９０）のＲＧＢデータが入力される場合を例示している。
【００５５】
図２０は、図１８に示す第２比較例で図１９の入力信号に基づいた表示出力を行った場合に色付きが生じる仕組みを示す模式図である。図２０では、実施形態１との比較のために上記の式（３）から式（３８）を第２比較例に当てはめた場合を例示しているに過ぎず、第１比較例でこのような割り付けが行われていたことを示すものでない。また、図２０及び後述する図２１等では、ａ＝０．１９７であり、ｂ＝０．５８である場合の割り付け例を示しているが、これはあくまでａ，ｂの値の例示であってこれに限られるものでなく、これらの値はａ＜ｂを満たす範囲内で適宜変更可能である。また、図２０及び後述する図２１等では、図１９に示す６画素分の入力信号のうちＸ方向の一端に位置する画素４８よりもさらに一端側の画素４８に対する入力信号が（Ｒ，Ｇ，Ｂ）＝（０，０，０）であるものとしてパターン１，３の出力階調値を算出している。また、図２０及び後述する図２１等では、図１９に示す６画素分の入力信号のうちＸ方向の他端に位置する画素４８よりもさらに他端側の画素４８に対する入力信号が（Ｒ，Ｇ，Ｂ）＝（１２５，１２５，１２５）であるものとしてパターン１，３の出力階調値を算出している。また、図２０及び後述する図２１等では、図１９に示す６画素分の入力信号のうちＸ方向の一端に位置する画素４８よりもさらに一端側の画素４８に対する入力信号が（Ｒ，Ｇ，Ｂ）＝（１３５，１３５，１３５）であるものとしてパターン２の出力階調値を算出している。また、図２０及び後述する図２１等では、図１９に示す６画素分の入力信号のうちＸ方向の他端に位置する画素４８よりもさらに他端側の画素４８に対する入力信号が（Ｒ，Ｇ，Ｂ）＝（０，０，０）であるものとしてパターン２の出力階調値を算出している。
【００５６】
図１９のパターン１が入力された場合、図２０に示すように、Ｘ方向の一端側から他端側に向かって、画素単位で、（Ｒ，Ｇ，Ｂ）＝（２０５，２４５，−），（１６５，−，２３４），（−，１１９，１１６），（１６１，２３２，−），（２０５，−，２４４），（−，１４８，７３）の階調値が出力階調値として算出される。ここで、第２比較例では、第７画素４８ｐの第２副画素４９Ｇと第８画素４８ｑの第３副画素４９ＢとがＸ方向に隣接している。このため、（Ｒ，Ｇ，Ｂ）＝（２０５，２４５，−），（１６５，−，２３４）のうち、階調値が相対的に大きい第７画素４８ｐの「Ｇ＝２４５」と第８画素４８ｑの「Ｂ＝２３４」に対応した表示出力によって、緑色（Ｇ）と青色（Ｂ）との合成色であるシアン（Ｃ）が視認される。また、（Ｒ，Ｇ，Ｂ）＝（１６１，２３２，−），（２０５，−，２４４）のうち、階調値が相対的に大きい第７画素４８ｐの「Ｇ＝２３２」と第８画素４８ｑの「Ｂ＝２４４」に対応した表示出力によって、シアン（Ｃ）が視認される。
【００５７】
図１９のパターン２が入力された場合、図２０に示すように、Ｘ方向の一端側から他端側に向かって、画素単位で、（Ｒ，Ｇ，Ｂ）＝（７８，１４５，−），（２４２，−，２０１），（−，２３３，１６９），（１２２，１１０，−），（２２８，−，１５３），（−，２４２，２０５）の階調値が出力階調値として算出される。ここで、第２比較例では、第８画素４８ｑの第１副画素４９Ｒと第９画素４８ｒの第２副画素４９ＧとがＸ方向に隣接している。このため、（Ｒ，Ｇ，Ｂ）＝（２４２，−，２０１），（−，２３３，１６９）のうち、階調値が相対的に大きい第８画素４８ｑの「Ｒ＝２４２」と第９画素４８ｒの「Ｇ＝２３３」に対応した表示出力によって、赤色（Ｒ）と緑色（Ｇ）との合成色であるイエロー（Ｙ）が視認される。また、（Ｒ，Ｇ，Ｂ）＝（２２８，−，１５３），（−，２４２，２０５）のうち、階調値が相対的に大きい第８画素４８ｑの「Ｒ＝２２８」と第９画素４８ｒの「Ｇ＝２４２」に対応した表示出力によって、イエロー（Ｙ）が視認される。
【００５８】
図１９のパターン３が入力された場合、図２０に示すように、Ｘ方向の一端側から他端側に向かって、画素単位で、（Ｒ，Ｇ，Ｂ）＝（０，０，−），（１４２，−，０），（−，１９７，２３９），（２３２，１７３，−），（１１０，−，１２５），（−，１５３，１７７）の階調値が出力階調値として算出される。ここで、第２比較例では、第９画素４８ｒの第３副画素４９Ｂと第７画素４８ｐの第１副画素４９ＲとがＸ方向に隣接している。このため、（Ｒ，Ｇ，Ｂ）＝（−，１９７，２３９），（２３２，１７３，−）のうち、階調値が相対的に大きい第９画素４８ｒの「Ｂ＝２３９」と第７画素４８ｐの「Ｒ＝２３２」に対応した表示出力によって、青色（Ｂ）と赤色（Ｒ）との合成色であるマゼンタ（Ｍ）が視認される。
【００５９】
以上、図２０を参照して説明したように、第１比較例では、入力画像に含まれない色付きのパターンが視認されることがある。これに対し、実施形態１によれば、このような色付きのパターンの発生を抑制することができる。
【００６０】
図２１は、実施形態１における色の割り付け例を示す図である。図２１に示すパターン１からパターン３の出力階調値は、図２０に示すパターン１からパターン３の出力階調値と同じである。一方、実施形態１によれば、第１画素４８ａの第２副画素４９Ｇと第２画素４８ｂの第３副画素４９Ｂは、Ｘ方向に隣接していない。このため、シアン（Ｃ）が視認されることはない。また、実施形態１によれば、第２画素４８ｂの第１副画素４９Ｒと第３画素４８ｃの第２副画素４９Ｇは、Ｘ方向に隣接していない。このため、イエロー（Ｙ）が視認されることはない。
【００６１】
実施形態１によれば、行方向（Ｘ方向）又は列方向（Ｙ方向）のうち他方向（例えば、Ｙ方向）に並ぶ複数の画素４８がそれぞれ有する２つの副画素４９の色及び配置は同じである。このため、入力画像に含まれない明暗のパターンの発生を抑制することができる。また、同じ色が割り当てられた副画素４９同士の間に他の色が割り当てられた副画素４９を１つ間に挟んで一方向（例えば、Ｘ方向）に並ぶ副画素４９の配置を含む。このため、入力画像に含まれない色付きのパターンの発生を抑制することができる。このように、実施形態１によれば、入力画像に含まれないパターンの発生を抑制することができる。
【００６２】
また、赤色（Ｒ）、緑色（Ｇ）、青色（Ｂ）の３色のうち２色のいずれかが割り当てられた副画素４９同士は、３色のうち残りの１色が割り当てられた副画素４９を１つ間に挟んで一方向（例えば、Ｘ方向）に並ぶ。すなわち、実施形態１では、同じ色の副画素４９がＸ方向に隣接しない。このため、より高い解像感を得られる。
【００６３】
また、上記の式（１），（２）に基づいた出力階調値の算出を行うことで、画一的な式に基づいて簡便に副画素４９の各々の出力階調値を算出することができる。
【００６４】
図２２は、実施形態１の変形例における複数の画素４８の配置及び各画素４８が有する副画素４９の配置の他の一例を示す図である。実施形態１の変形例における複数の画素４８の各々は、第４画素４８ｄ、第５画素４８ｅ、第６画素４８ｆのいずれかである。第４画素４８ｄは、相対的にＸ方向の一端側に配置された第２副画素４９Ｇと、他端側に配置された第１副画素４９Ｒとを有する。第５画素４８ｅは、相対的にＸ方向の一端側に配置された第３副画素４９Ｂと、他端側に配置された第１副画素４９Ｒとを有する。第６画素４８ｆは、相対的にＸ方向の一端側に配置された第３副画素４９Ｂと、他端側に配置された第２副画素４９Ｇとを有する。実施形態１の変形例では、Ｘ方向の一端側から他端側に向かって、第５画素４８ｅ、第４画素４８ｄ、第６画素４８ｆ、第５画素４８ｅ、第４画素４８ｄ、第６画素４８ｆ、…のように並ぶ。
【００６５】
第４画素４８ｄ、第５画素４８ｅ、第６画素４８ｆがそれぞれ有する副画素４９の色は、第１画素４８ａ，第２画素４８ｂ，第３画素４８ｃと同様である。従って、図１３から図１５を参照して説明した、第１画素４８ａ，第２画素４８ｂ，第３画素４８ｃが有する副画素４９の出力階調値の算出方法（式（３）から式（３８））は、実施形態１の変形例に適用することができる。このような実施形態１の変形例によれば、実施形態１と同様の効果を奏する。
【００６６】
（実施形態２）
図２３は、実施形態２における複数の画素４８の配置及び各画素４８が有する副画素４９の配置の一例を示す図である。実施形態２における複数の画素４８の各々は、第４画素４８ｄ、第５画素４８ｅ、第３画素４８ｃのいずれかである。実施形態２では、Ｘ方向の一端側から他端側に向かって、第４画素４８ｄ、第５画素４８ｅ、第３画素４８ｃ、第４画素４８ｄ、第５画素４８ｅ、第３画素４８ｃ、…のように並ぶ。実施形態２では、３色のうち２色（例えば、赤色と緑色）のいずれかが割り当てられた副画素４９同士は、３色のうち残りの１色（例えば、青色）が割り当てられた副画素４９を１つ間に挟んで一方向（例えば、Ｘ方向）に並ぶ。
【００６７】
図２４は、実施形態２における色の割り付け例を示す図である。図２４に示すパターン１からパターン３の出力階調値は、図２０に示すパターン１からパターン３の出力階調値と同じである。一方、実施形態２によれば、第４画素４８ｄの第２副画素４９Ｇと第５画素４８ｅの第３副画素４９Ｂは、Ｘ方向に隣接していない。このため、シアン（Ｃ）が視認されることはない。また、実施形態２によれば、第３画素４８ｃの第３副画素４９Ｂと第４画素４８ｄの第１副画素４９Ｒは、Ｘ方向に隣接していない。このため、マゼンタ（Ｍ）が視認されることはない。以上、特筆した点を除いて、実施形態２の表示装置は、実施形態１の表示装置１０と同様である。
【００６８】
実施形態２によれば、図２４を参照して説明した色付きのパターンの抑制に関する具体的な作用効果を除いて、実施形態１と同様の効果を奏する。
【００６９】
（実施形態２の変形例）
図２５は、実施形態２の変形例における複数の画素４８の配置及び各画素４８が有する副画素４９の配置の他の一例を示す図である。実施形態２の変形例における複数の画素４８の各々は、第１画素４８ａ、第５画素４８ｅ、第６画素４８ｆのいずれかである。実施形態２の変形例では、Ｘ方向の一端側から他端側に向かって、第１画素４８ａ、第５画素４８ｅ、第６画素４８ｆ、第１画素４８ａ、第５画素４８ｅ、第６画素４８ｆ、…のように並ぶ。このような実施形態２の変形例によれば、実施形態２と同様の効果を奏する。
【００７０】
（実施形態３）
図２６は、実施形態３における複数の画素４８の配置及び各画素４８が有する副画素４９の配置の一例を示す図である。実施形態３における複数の画素４８の各々は、第１画素４８ａ、第２画素４８ｂ、第６画素４８ｆのいずれかである。実施形態２では、Ｘ方向の一端側から他端側に向かって、第１画素４８ａ、第２画素４８ｂ、第６画素４８ｆ、第１画素４８ａ、第２画素４８ｂ、第６画素４８ｆ、…のように並ぶ。実施形態３では、３色のうち特定の１色（例えば、青色）が割り当てられた２つの副画素４９が一方向（例えば、Ｘ方向）に隣接する。
【００７１】
図２７は、実施形態３における色の割り付け例を示す図である。図２７に示すパターン１からパターン３の出力階調値は、図２０に示すパターン１からパターン３の出力階調値と同じである。一方、実施形態３によれば、第１画素４８ａの第２副画素４９Ｇと第２画素４８ｂの第３副画素４９Ｂは、Ｘ方向に隣接していない。このため、シアン（Ｃ）が視認されることはない。また、実施形態３によれば、第２画素４８ｂの第１副画素４９Ｒと第６画素４８ｆの第２副画素４９Ｇは、Ｘ方向に隣接していない。このため、イエロー（Ｙ）が視認されることはない。また、実施形態３によれば、第６画素４８ｆの第３副画素４９Ｂと第１画素４８ａの第１副画素４９Ｒは、Ｘ方向に隣接していない。このため、マゼンタ（Ｍ）が視認されることはない。以上、特筆した点を除いて、実施形態３の表示装置は、実施形態１の表示装置１０と同様である。
【００７２】
実施形態３によれば、実施形態１と同様、行方向（Ｘ方向）又は列方向（Ｙ方向）のうち他方向（例えば、Ｙ方向）に並ぶ複数の画素４８がそれぞれ有する２つの副画素４９の色及び配置は同じである。このため、入力画像に含まれない明暗のパターンの発生を抑制することができる。また、同じ色が割り当てられた副画素４９同士の間に他の色が割り当てられた副画素４９を１つ間に挟んで一方向（例えば、Ｘ方向）に並ぶ副画素４９の配置を含む。このため、入力画像に含まれない色付きのパターンの発生を抑制することができる。このように、実施形態３によれば、入力画像に含まれないパターンの発生を抑制することができる。
【００７３】
また、３色のうち特定の１色が割り当てられた２つの副画素４９が一方向（例えば、Ｘ方向）に隣接する。これによって、色付きをさらに抑制することができる。
【００７４】
また、上記の式（１），（２）に基づいた出力階調値の算出を行うことで、画一的な式に基づいて簡便に副画素４９の各々の出力階調値を算出することができる。
【００７５】
（実施形態３の変形例）
図２８は、実施形態３の変形例における複数の画素４８の配置及び各画素４８が有する副画素４９の配置の他の一例を示す図である。実施形態３の変形例における複数の画素４８の各々は、第４画素４８ｄ、第３画素４８ｃ、第５画素４８ｅのいずれかである。実施形態３の変形例では、Ｘ方向の一端側から他端側に向かって、第４画素４８ｄ、第３画素４８ｃ、第５画素４８ｅ、第４画素４８ｄ、第３画素４８ｃ、第５画素４８ｅ、…のように並ぶ。このような実施形態３の変形例によれば、実施形態３と同様の効果を奏する。
【００７６】
（実施形態４）
図２９は、実施形態４における複数の画素４８の配置及び各画素４８が有する副画素４９の配置の一例を示す図である。実施形態４における複数の画素４８の各々は、第４画素４８ｄ、第２画素４８ｂ、第３画素４８ｃのいずれかである。実施形態４では、Ｘ方向の一端側から他端側に向かって、第４画素４８ｄ、第２画素４８ｂ、第３画素４８ｃ、第４画素４８ｄ、第２画素４８ｂ、第３画素４８ｃ、…のように並ぶ。実施形態４では、３色のうち特定の１色（例えば、赤色）が割り当てられた２つの副画素４９が一方向（例えば、Ｘ方向）に隣接する。
【００７７】
図３０は、実施形態４における色の割り付け例を示す図である。図３０に示すパターン１からパターン３の出力階調値は、図２０に示すパターン１からパターン３の出力階調値と同じである。一方、実施形態４によれば、第４画素４８ｄの第２副画素４９Ｇと第２画素４８ｂの第３副画素４９Ｂは、Ｘ方向に隣接していない。このため、シアン（Ｃ）が視認されることはない。また、実施形態４によれば、第２画素４８ｂの第１副画素４９Ｒと第３画素４８ｃの第２副画素４９Ｇは、Ｘ方向に隣接していない。このため、イエロー（Ｙ）が視認されることはない。また、実施形態４によれば、第３画素４８ｃの第３副画素４９Ｂと第４画素４８ｄの第１副画素４９Ｒは、Ｘ方向に隣接していない。このため、マゼンタ（Ｍ）が視認されることはない。以上、特筆した点を除いて、実施形態４の表示装置は、実施形態３の表示装置と同様である。
【００７８】
実施形態４によれば、実施形態３と同様の効果を奏する。
【００７９】
（実施形態４の変形例）
図３１は、実施形態４の変形例における複数の画素４８の配置及び各画素４８が有する副画素４９の配置の他の一例を示す図である。実施形態４における複数の画素４８の各々は、第１画素４８ａ、第６画素４８ｆ、第５画素４８ｅのいずれかである。実施形態２では、Ｘ方向の一端側から他端側に向かって、第１画素４８ａ、第６画素４８ｆ、第５画素４８ｅ、第１画素４８ａ、第６画素４８ｆ、第５画素４８ｅ、…のように並ぶ。このような実施形態４の変形例によれば、実施形態４と同様の効果を奏する。
【００８０】
なお、画像表示パネル４０は、透過式のカラー液晶表示パネルに限られず、２つの色の副画素４９を有する複数の画素４８がマトリクス状に配置されている表示パネルであればよく、その具体的構成は適宜変更可能である。例えば、画像表示パネル４０は、反射式のカラー液晶表示パネルであってもよいし、有機エレクトロルミネセンス（ＥＬ：Electro  Luminescence）方式のカラー表示パネルであってもよい。画像表示パネル４０の具体的構成に応じて、光源駆動部５０及び光源ユニット６０が不要な場合、光源駆動部５０及び光源ユニット６０は省略されてよい。
【００８１】
また、本実施形態において述べた態様によりもたらされる他の作用効果について本明細書記載から明らかなもの、又は当業者において適宜想到し得るものについては、当然に本発明によりもたらされるものと解される。
【符号の説明】
【００８２】
１０  表示装置
２０  信号処理部
３０  画像表示パネル駆動部
３１  信号出力回路
３２  走査回路
４０  画像表示パネル
４８  画素
４８ａ  第１画素
４８ｂ  第２画素
４８ｃ  第３画素
４８ｄ  第４画素
４８ｅ  第５画素
４８ｆ  第６画素
４９Ｒ  第１副画素
４９Ｇ  第２副画素
４９Ｂ  第３副画素
５０  光源駆動部
６０  光源ユニット
【図１】
2018189777.tif 000003
【図２】
2018189777.tif 000004
【図３】
2018189777.tif 000005
【図４】
2018189777.tif 000006
【図５】
2018189777.tif 000007
【図６】
2018189777.tif 000008
【図７】
2018189777.tif 000009
【図８】
2018189777.tif 000010
【図９】
2018189777.tif 000011
【図１０】
2018189777.tif 000012
【図１１】
2018189777.tif 000013
【図１２】
2018189777.tif 000014
【図１３】
2018189777.tif 000015
【図１４】
2018189777.tif 000016
【図１５】
2018189777.tif 000017
【図１６】
2018189777.tif 000018
【図１７】
2018189777.tif 000019
【図１８】
2018189777.tif 000020
【図１９】
2018189777.tif 000021
【図２０】
2018189777.tif 000022
【図２１】
2018189777.tif 000023
【図２２】
2018189777.tif 000024
【図２３】
2018189777.tif 000025
【図２４】
2018189777.tif 000026
【図２５】
2018189777.tif 000027
【図２６】
2018189777.tif 000028
【図２７】
2018189777.tif 000029
【図２８】
2018189777.tif 000030
【図２９】
2018189777.tif 000031
【図３０】
2018189777.tif 000032
【図３１】
2018189777.tif 000033